(57)【特許請求の範囲】
【請求項１】
光ファイバーの接続に使用する光成端箱に設けられ、光ファイバーコードを固定するための配線締結具において、前記光ファイバーコードを支持する支持部材と、該支持部材に前記光ファイバーコードを押さえ付けるための押さえ部材とから成る複数の本体を、連結部材により高さ方向にずらして連結したことを特徴とする配線締結具。
【請求項２】
前記連結部材は前記本体を固定するための平行した複数の固定片と、該固定片間を接続する垂片とから成り、該垂片に前記光ファイバーコードが挿通するための貫通孔を形成したことを特徴とする請求項１に記載の配線締結具。
【発明の詳細な説明】
【０００１】
【産業上の利用分野】
本発明は、光ファイバーの接続に使用する光配線盤に設けられ、光ファイバーコードを固定するための配線締結具の構造に関する。
【０００２】
【従来の技術】
従来の配線締結具は、例えば特開平１１−１２２７５７号公報に記載のように、光成端箱の内部に設置され、支持部材（１）の長手方向に間隔を設けて複数の光ファイバーコードを並設し、光ファイバーコードの上方から押さえ部材（３）により押さえ付けて狭持している。
【０００３】
【発明が解決しようとする課題】
しかしながら、従来の配線締結具は多数の光ファイバーコードを固定する場合、長手方向に光ファイバーコードの固定部分を延設した配線締結具を用意して対応しなければならないため、配置スペースが拡大するとともに、光成端箱が大型化するという欠点があった。
【０００４】
【課題を解決するための手段】
上記従来の配線締結具の問題点に鑑み、本発明の目的は、多数の光ファイバーコードを少ないスペースで固定することができる配線締結具を提供するもので、その構造は、光ファイバーの接続に使用する光成端箱に設けられ、光ファイバーコードを固定するための配線締結具において、光ファイバーコードを支持する支持部材と、支持部材に光ファイバーコードを押さえ付けるための押さえ部材とから成る複数の本体を、連結部材により高さ方向にずらして連結したことである。
【０００５】
また、連結部材は本体を固定するための平行した複数の固定片と、固定片間を接続する垂片とから成り、垂片に光ファイバーコードが挿通するための貫通孔を形成したことである。
【０００６】
【発明の実施の形態】
請求項１に記載の配線締結具によれば、光ファイバーの接続に使用する光成端箱に設けられ、光ファイバーコードを固定するための配線締結具において、光ファイバーコードを支持する支持部材と、支持部材に光ファイバーコードを押さえ付けるための押さえ部材とから成る複数の本体を、連結部材により高さ方向にずらして連結したことにより、多数の光ファイバーコードを固定しなければならない場合でも容易に本体を増設して対応することができ、少ないスペースで固定することができる。
【０００７】
請求項２に記載の配線締結具によれば、連結部材は本体を固定するための平行した複数の固定片と、固定片間を接続する垂片とから成り、垂片に光ファイバーコードが挿通するための貫通孔を形成したことにより、簡単な構造で複数の本体を連結することができる。
【０００８】
【実施例】
本発明に係る配線締結具の実施例を図１〜図５の添付図面に基づいて説明する。
【０００９】
配線締結具１は、光ファイバーコード（図示せず）を支持する支持部材２と、支持部材２に光ファイバーコードを押さえ付けるための押さえ部材３とから成る二個の本体４，４と、二個の本体４，４を連結するための連結部材５とから成っている。
【００１０】
本体４の支持部材２は平板部２ａの四隅が折曲されて脚部２ｂ，２ｂ，２ｂ，２ｂが形成され、平板部２ａの長手方向の一方の端縁部近傍に取り付けねじ６が挿通するための複数のねじ孔２ｃ，２ｃ，・・・が等間隔で穿設されている。図３に示すようにねじ孔２ｃは光ファイバーコードのテンションメンバ７を固定するためのもので、取り付けねじ６には四角形状の角座金８が挿通され、ねじ孔２ｃに取り付けねじ６を螺着することで角座金８と平板部２ａとでテンションメンバ７を狭持して固定する。夫々のねじ孔２ｃの両側には突起部２ｄ，２ｄが形成され、突起部２ｄ，２ｄにより角座金８の回転を防止している。また、平板部２ａの長手方向の他方の側端部近傍にはクッション性の軟質材９が貼付されている。
【００１１】
本体４の押さえ部材３は平板部３ａの四隅が折曲されて脚部３ｂ，３ｂ，３ｂ，３ｂが形成されている。光ファイバーコードは支持部材２の軟質材９の上部に並設され、押さえ部材３の脚部３ｂを上方に向けた状態で平板部３ａにより光ファイバーコードを狭持する。押さえ部材３と支持部材２との夫々の両端部近傍には固定ねじ１０が挿通するためのねじ挿通孔３ｃ，３ｃ、２ｅ，２ｅが穿設され、押さえ部材３のねじ挿通孔３ｃと支持部材２のねじ挿通孔２ｅに固定ねじ１０を挿通させて螺着固定される。
【００１２】
連結部材５は二個の本体４，４を固定するための平行した固定片５ａ，５ｂと、固定片５ａ，５ｂ間を接続する垂片５ｃとから成っている。下段の固定片５ｂの幅寸法は本体４の幅寸法より大きく、固定片５ｂの上面に本体４の脚部２ｂ，２ｂ，２ｂ，２ｂが載置される。本体４の支持部材２と連結部材５の下段の固定片５ｂとの夫々の両端部近傍には連結ねじ１１が挿通するためのねじ挿通穴２ｆ，２ｆ、５ｄ，５ｄ、が穿設され、支持部材２のねじ挿通穴２ｆ，２ｆと下段の固定片５ｂのねじ挿通穴５ｄ，５ｄに連結ねじ１１を挿通させ、両者を固定すると同時に光成端箱１２に螺着固定される。
【００１３】
上段の固定片５ａの幅寸法は本体４の幅寸法より小さく、固定片５ａの上面に本体４の支持部材２の平板部２ａが載置される。この時、支持部材２ａの脚部２ｂ，２ｂ，２ｂ，２ｂを固定片５ａの端部に当接させて位置決めする。本体４の支持部材２と連結部材５の上段の固定片５ａとの夫々の両端部近傍には連結ねじ１１が挿通するためのねじ挿通穴２ｆ，２ｆ、５ｄ，５ｄが穿設され、支持部材２のねじ挿通穴２ｆ，２ｆと上段の固定片５ａのねじ挿通穴５ｄ，５ｄに連結ねじ１１を挿通させて螺着固定される。尚、上段の固定片５ａと下段の固定片５ｂは光ファイバーコードが固定できるように上段の固定片５ａと下段の固定片５ｂとが幅方向に重ならないようにする。
【００１４】
連結部材５の垂片５ｃは光ファイバーコードが挿通するための貫通孔５ｅが形成され、光ファイバーコードは貫通孔５ｅに挿通されて下段に固定された本体４に固定される。尚、垂片５ｃは上段に固定された本体４と下段に固定された本体４とが高さ方向に重ならないようにする。
【００１５】
尚、本実施例において、本体４の支持部材２に光ファイバーコードのテンションメンバ７を固定できるように形成したが、図５に示すように本体２４の支持部材２２は光ファイバーコードを固定するだけでも良い。
【００１６】
尚、本実施例において、連結部材は二個の本体を固定できるように二段に形成したが複数段に形成しても何ら問題なく、本発明の趣旨を逸脱しない範囲で適宜変更可能である。
【００１７】
【発明の効果】
以上のように本発明に係る配線締結具は、光ファイバーの接続に使用する光成端箱に設けられ、光ファイバーコードを固定するための配線締結具において、光ファイバーコードを支持する支持部材と、支持部材に光ファイバーコードを押さえ付けるための押さえ部材とから成る複数の本体を、連結部材により高さ方向にずらして連結したことにより、多数の光ファイバーコードを固定しなければならない場合でも容易に本体を増設して対応することができ、少ないスペースで固定することができるという優れた効果がある。
【００１８】
また、連結部材は本体を固定するための平行した複数の固定片と、固定片間を接続する垂片とから成り、垂片に光ファイバーコードが挿通するための貫通孔を形成したことにより、簡単な構造で複数の本体を連結することができるという優れた効果がある。
【図面の簡単な説明】
【図１】本発明に係る配線締結具を示す縦断面図である。
【図２】本発明に係る配線締結具を示す正面図である。
【図３】本発明に係る配線締結具の支持部材にテンションメンバを固定した様子を示す断面図である。
【図４】本発明に係る配線締結具を示す平面図である。
【図５】本発明に係る配線締結具の変形実施例を示す縦断面図である。
【符号の説明】
１      配線締結具
２      支持部材
２ａ    平板部
２ｂ    脚部
２ｃ    ねじ孔
２ｄ    突起部
２ｅ    ねじ挿通孔
２ｆ    ねじ挿通穴
３      押さえ部材
３ａ    平板部
３ｂ    脚部
３ｃ    ねじ挿通孔
４      本体
５      連結部材
５ａ    固定片
５ｂ    固定片
５ｃ    垂片
５ｄ    ねじ挿通穴
５ｅ    貫通孔
６      取り付けねじ
７      テンションメンバ
８      角座金
９      軟質材
１０    固定ねじ
１１    連結ねじ
【図１】
0004375692.tif 000002
【図２】
0004375692.tif 000003
【図３】
0004375692.tif 000004
【図４】
0004375692.tif 000005
【図５】
0004375692.tif 000006